(57)【特許請求の範囲】
【請求項１】
台紙と、
前記台紙上に形成され、所定形状にパターン化されるマスキング層と、
前記マスキング層上に形成され、前記所定形状と同じ形状にパターン化される装飾層と、
前記装飾層上に形成される粘着層と、
前記粘着層上に形成される保護フィルムとを備え、
前記装飾層は、
金属層と、
前記金属層と前記マスキング層との間に形成される第１着色層と、
前記第１着色層と同じ色であり、前記金属層と前記粘着層との間に形成される第２着色層とを含む、身体装飾用シール。
【請求項２】
所定形状にパターン化されたマスキング層を台紙上に形成する工程と、
前記所定形状と同じ形状にパターン化された装飾層を前記マスキング層上に形成する工程と、
前記装飾層上に粘着層を形成する工程と、
保護フィルムを前記粘着層上に形成する工程とを備え、
前記装飾層は、
金属層と、
前記金属層と前記マスキング層との間に形成される第１着色層と、
前記第１着色層と同じ色であり、前記金属層と前記粘着層との間に形成される第２着色層とを含む、身体装飾用シールの製造方法。
【発明の詳細な説明】
【技術分野】
【０００１】
本発明は、身体装飾用シールに関し、さらに詳しくは、転写型の身体装飾用シールに関する。
【背景技術】
【０００２】
身体に絵、模様などを描く方法として、ボディペインティング、タトゥ等がある。しかし、ボディペインティング、タトゥは、絵、模様などを肌に描く際に時間を要する。そこで、特許文献１に開示されているように、絵柄を身体に貼り付けることができる身体装飾シールが提案されている。
【０００３】
特許文献１において、ユーザは、身体装飾シールのセパレータを剥がし、粘着面を身体の所望の位置に貼り付ける。ユーザは、身体装飾シールをベース（台紙）側から水に濡らす。ベースと絵柄との間に形成された再湿層が水に溶けるため、ユーザは、絵柄からベースを剥がすことができる。
【０００４】
特許文献２には、転写シール用キットが記載されている。転写シール用キットは、基材シートと、両面粘着シートとを備える。基材シートは、吸水紙と、第１コーティング層と、第２コーティング層と、第３コーティング層とを備える。第１コーティング層は、水溶性を有する合成高分子からなり、吸水紙の上面全体に形成される。第２コーティング層は、撥水性を有する合成高分子からなり、第１コーティング層の上に形成される。第３コーティング層は、インク受容性を有する合成高分子からなり、第２コーティング層の上に形成される。
【０００５】
ユーザは、第３コーティング層の表面に希望の標章、絵柄などをプリントし、両面粘着シートを第３コーティング層と貼り合わせることによって、転写用シールを作成する。作成された転写用シールを被写体の表面に貼り付けた場合、第２コーティング層は、標章、絵柄などがプリントされた第３コーティング層を保護するマスキングシートして機能する。
【０００６】
しかし、第２コーティング層は、吸水紙の上面全体に貼り付けられているため、標章、絵柄がプリントされていない位置にも存在する。標章、絵柄がプリントされていない位置の第２コーティング層が被写体に貼り付けられた場合、第２コーティング層が目立つという問題がある。第２コーティング層を目立たないようにするためには、ユーザは、標章、絵柄の形状に沿って切り取らなければならない。
【先行技術文献】
【特許文献】
【０００７】
【特許文献１】特開２０００−１５９９１号公報
【特許文献２】特許第３２６６１９７号公報
【特許文献３】特開２００８−４９６０９号公報
【発明の概要】
【発明が解決しようとする課題】
【０００８】
本発明の目的は、絵柄を保護する層を目立たなくすることができる身体装飾用シールを提供することである。
【課題を解決するための手段及び効果】
【０００９】
本発明による身体装飾用シールは、台紙と、マスキング層と、装飾層と、保護フィルムとを備える。マスキング層は、台紙上に形成され、所定形状にパターン化される。装飾層は、マスキング層上に形成され、所定形状と同じ形状にパターン化される。粘着層は、装飾層上に形成される。保護フィルムは、粘着層上に形成される。
【００１０】
本発明によれば、装飾層及びマスキング層が、同じ形状にパターン化され、装飾層がマスキング層の上に形成される。これにより、身体装飾用シールが身体に貼り付けられたときに、マスキング層が目立つことを防止することができる。
【００１１】
好ましくは、装飾層は、金属層を含む。
【００１２】
本発明によれば、装飾層が金属層を含むことにより、金属光沢のある絵柄を身体に貼り付けることができる。
【００１３】
好ましくは、装飾層は、金属層とマスキング層との間に形成される第１着色層を含む。
【００１４】
本発明によれば、金属層と第１着色層とにより、様々な材質を表現することができる。
【００１５】
好ましくは、装飾層は、第１着色層と同じ色であり、金属層と粘着層との間に形成される第２着色層を含む。
【００１６】
本発明によれば、第２着色層が金属層と粘着層との間に形成されることにより、ユーザは、身体装飾用シールが身体に貼り付けられる前に、装飾層により表現される絵柄の色彩を確認することができる。
【００１７】
好ましくは、身体装飾用シールは、さらに、のり層を備える。のり層は、台紙とマスキング層との間に形成される。
【００１８】
本発明によれば、のり層が台紙とマスキング層との間に形成される。これにより、マスキング層を台紙から容易に剥がすことができる。
【００１９】
本発明による身体装飾用シールの製造方法は、本発明の身体装飾用シールを製造するために用いられる。
【図面の簡単な説明】
【００２０】
【図１】本発明の実施の形態による身体装飾用シールの上面図である。
【図２】図１に示す身体装飾用シールの断面図である。
【図３】図２に示す箔の断面図である。
【図４Ａ】図１に示す身体装飾用シールを貼り付ける方法を説明する図である。
【図４Ｂ】図１に示す身体装飾用シールを貼り付ける方法を説明する図である。
【図５】図１に示す身体装飾用シールの製造工程を示すフローチャートである。
【図６】図２に示す箔をマスキング層上に転写する方法を説明する図である。
【図７】図２に示すマスキング層上に形成された箔を示す図である。
【発明を実施するための形態】
【００２１】
以下、図面を参照し、本発明の実施の形態を詳しく説明する。図中同一又は相当部分には同一符号を付してその説明は繰り返さない。
【００２２】
｛身体装飾用シールの構造｝
図１は、本発明の実施の形態による身体装飾用シール１の上面図である。図１を参照して、身体装飾用シール１には、金属光沢を有する複数の絵柄２が描かれている。絵柄２は、たとえば、十字架、王冠、蝶、鍵などの様々な形状の絵を含む。ユーザは、絵柄２を個別に身体に貼り付けることができる。
【００２３】
図２は、図１に示す身体装飾用シール１のＡ−Ａ断面図である。図２を参照して、身体装飾用シール１の断面構造を説明する。矢印Ｂ方向を上方向と仮定する。身体装飾用シール１は、台紙３と、のり層４と、マスキング層５と、箔６と、粘着層７と、保護フィルム８とを備える。
【００２４】
台紙３は、吸水性のある紙である。台紙３の厚さは、たとえば、約０．５ミリメートルである。
【００２５】
のり層４は、台紙３の上面全体に形成される。のり層４の厚さは、たとえば、約３マイクロメートルである。のり層４は、たとえば、ポリビニルアルコール（通称ポバール）、ポリビニルピロリドンなど、水溶性の合成高分子により形成される。のり層４を台紙３とマスキング層５との間に形成することにより、マスキング層５を台紙３から容易に剥がすことができる。
【００２６】
マスキング層５は、絵柄２のような所定形状にパターン化されており、のり層４の上に形成される。マスキング層５は、アクリル樹脂など、透明な撥水性の高分子化合物により形成される。マスキング層５の厚さは、約５マイクロメートルである。
【００２７】
箔６が、マスキング層５の上に形成される。箔６は、絵柄２を構成する装飾層である。箔６は、マスキング層５の形状（所定形状）と同じ形状にパターン化される。実際には、箔６の形状が絵柄２に応じて決定され、マスキング層５は、決定された形状にパターン化される。これは、身体装飾用シール１が身体に貼り付けられたときに、箔６をマスキング層５により保護するとともに、マスキング層５を目立たなくするためである。このため、マスキング層５の上に箔６を形成する際に、マスキング層５の位置と、箔６を形成する位置とを合わせる必要がある。位置合わせを考慮して、マスキング層５は、マージンを有してもよい。したがって、「所定形状と同じ形状」とは、所定形状と全く同じ形状と、所定形状よりも一回り小さい形状とを含む。箔６の構造については、後述する。
【００２８】
粘着層７は、箔６の上に形成される。図２に示すように、粘着層７は、箔６及びマスキング層５を覆うように形成されてもよいし、箔６の上にのみ形成されてもよい。粘着層７の厚さは、たとえば、１０マイクロメートルである。
【００２９】
保護フィルム８は、粘着層７の上に形成され、台紙３全体を覆っている。保護フィルム８は、たとえば、ＰＥＴ（Polyethylene Terephthalate）などの透明な素材により形成される。保護フィルム８は、身体装飾用シール１が身体に貼り付けられる前に、絵柄２、粘着層７を保護するために用いられる。
【００３０】
図３は、箔６の断面図である。図３を参照して、箔６は、接着層６１と、着色層６２と、金属層６３と、着色層６４とを備える。図３において、矢印Ｂ方向を上方向と仮定する。
【００３１】
接着層６１は、マスキング層５の上に形成される。接着層６１は、箔６をマスキング層５に接着させる。
【００３２】
金属層６３は、アルミニウムなどの金属により形成される。着色層６２は、接着層６１と金属層６３との間に形成される。すなわち、着色層６２は、マスキング層５と金属層６３との間に形成される。着色層６４は、着色層６２と同じ色であり、金属層６３の上に形成される。着色層６４の上には、粘着層７が形成される。
【００３３】
絵柄２の色彩は、着色層６２，６４及び金属層６３により表現される。たとえば、金属層６３がアルミニウムであり、着色層６２，６４が黄色のインクである場合、絵柄２の色彩は、金色となる。箔６が台紙３の上に形成されている場合、絵柄２の色彩は、金属層６３及び着色層６４により表現される。身体装飾用シール１が身体に貼り付けられた場合、絵柄２の色彩は、着色層６２及び金属層６３により表現される。
【００３４】
｛身体装飾用シール１の貼り付け｝
図４Ａ及び図４Ｂは、身体装飾用シール１を身体に貼り付ける方法を説明する図である。なお、図４Ａ及び図４Ｂにおける上方向は、図２及び図３における上方向と逆向きとなっている。
【００３５】
最初に、ユーザは、好みの絵柄２を含む身体装飾用シール１を切り取る。ユーザは、切り取られた身体装飾用シール１から保護フィルム８を剥がし、図４Ａに示すように、粘着層７を肌１０に貼り付ける。
【００３６】
次に、ユーザは、台紙３を水に濡らす。具体的には、ユーザは、矢印Ｂ方向と反対の方向から、水を含ませたスポンジあるいはティッシュペーパーを台紙３に当てればよい。これにより、水が、台紙３を通過して、のり層４に到達する。のり層４は、水溶性の高分子化合物により形成されているため、水に溶ける。のり層４が水に溶けることにより、ユーザは、マスキング層５及び粘着層７から台紙３を剥がすことができる。この結果、図４Ｂに示すように、絵柄２を構成する箔６が、マスキング層５と粘着層７とに挟まれるようにして、肌１０に貼り付けられる。
【００３７】
マスキング層５は、上述のように、撥水性の高分子化合物であるため、水は、箔６まで浸透しない。このため、着色層６２，６４が水により流れ出ることはない。
【００３８】
図４Ｂを参照して、身体装飾用シール１が肌１０に貼り付けられた場合、箔６が、マスキング層５に覆われるため、外気に直接触れず、むき出しとなることがない。従って、箔６が粘着層７から剥がれることを防止することができる。また、マスキング層５が箔６と同じ形状であるため、身体装飾用シール１が身体に貼り付けられたときに、マスキング層５を目立たなくすることができる。
【００３９】
身体装飾用シール１を肌１０に貼り付けることにより、絵柄２が肌１０に転写される。従って、身体装飾用シール１が肌１０に貼り付けられた場合、絵柄２の色彩は、着色層６２及び金属層６３により表現される。着色層６２の色は、着色層６４の色と同じであるため、マスキング層５側から見た絵柄２の色彩は、保護フィルム８側から見た絵柄２の色彩と同じとなる。これにより、ユーザは、身体装飾用シール１を体に張り付ける前に、絵柄２の色彩を容易に確認できる。また、着色層６２，６４を、白色インクにより形成することで、真珠のような光沢を表現することも可能である。
【００４０】
｛身体装飾用シール１の製造方法｝
図５は、身体装飾用シール１の製造方法を示すフローチャートである。図５を参照して、最初に、台紙３の上にのり層４を形成する（ステップＳ１）。水溶性の合成高分子が、台紙３の上面全体に塗布される。
【００４１】
のり層４が形成された台紙３に、マスキング層５を形成する（ステップＳ２）。ステップＳ２では、マスキング層５が、所定形状（絵柄２の形状）にパターン化される。マスキング層５の形成には、スクリーン印刷が用いられる。
【００４２】
マスキング層５の上に、所定形状と同じ形状の装飾層を形成する（ステップＳ３）。具体的には、箔１４が、箔押しによりマスキング層５の上に転写される。
【００４３】
図６は、箔押しにより装飾層を形成する方法を説明する図である。図６を参照して、箔６（装飾層）の材料として、シート状のメタリック箔９を使用する。金版２０は、絵柄２が形成された凸版である。図６において、矢印Ｂ方向を上方向と仮定する。
【００４４】
メタリック箔９は、ベースフィルム９１と、離型層９２と、箔６とを備える。ベースフィルム９１は、たとえば、ＰＥＴフィルムである。離型層９２は、ベースフィルム９１と着色層６４との間に形成される。
【００４５】
箔押しでは、メタリック箔９が、金版２０と、マスキング層５が形成された台紙３との間に配置される。金版２０をマスキング層５の上に移動させることにより、金版２０の位置とマスキング層５の位置とを合わせる。金版２０が、メタリック箔９をマスキング層５の上に押し当てることにより、絵柄２の形状をした箔６がマスキング層５の上に転写される。金版２０がメタリック箔９を押し当てられたときに、接着層６１が金版２０の熱及び圧力により溶解し、箔６がマスキング層５に接着される。離型層９２が、金版２０の熱により活性化されることにより、箔６は、ベースフィルム９１から容易に剥離される。この結果、図７に示すように、箔６のみが、マスキング層５の上に転写される。
【００４６】
再び、図５を参照して、粘着層７をマスキング層５及び箔６の上に形成する（ステップＳ４）。粘着層７の形成には、スクリーン印刷が用いられる。粘着層７が形成された台紙３の上面全体を覆うように、保護フィルム８を貼り付ける（ステップＳ５）。これにより、身体装飾用シール１が形成される。
【００４７】
上記実施の形態では、箔６が、装飾層を構成する例を説明したがこれに限られない。たとえば、絵柄２を構成する装飾層が、１つの着色層により構成されてもよい。この場合、１つの着色層は、スクリーン印刷により、マスキング層５の上に形成される。これにより、絵柄２を様々な色を用いて表現することができる。
【００４８】
上記実施の形態では、箔６が着色層６２，６４を備える例を説明したが、これに限られない。絵柄２の色彩を銀色にする場合、箔６は、着色層６２，６４を備えなくてもよい。箔６は、着色層６２のみを備えていてもよい。
【００４９】
上記実施の形態では、のり層４として、水溶性の高分子化合物を使用する例を説明したが、これに限らない。たとえば、のり層４として、アルコールに可溶な素材を用いてもよい。この場合、ユーザは、身体装飾用シール１を身体に貼り付ける場合、アルコールを含むスポンジ等を台紙３に押しあてればよい。
【００５０】
以上、本発明の実施の形態を説明したが、上述した実施の形態は本発明を実施するための例示に過ぎない。よって、本発明は上述した実施の形態に限定されることなく、その趣旨を逸脱しない範囲内で上述した実施の形態を適宜変形して実施することが可能である。
【符号の説明】
【００５１】
１  身体装飾用シール
２  絵柄
３  台紙
４  のり層
５  マスキング層
６  箔
７  粘着層
８  保護フィルム
９  メタリック箔
２０  金版
６１  接着層
６２，６４  着色層
６３  金属層
９１  ベースフィルム
９２  離型層
【図１】
0005636025.tif 000002
【図２】
0005636025.tif 000003
【図３】
0005636025.tif 000004
【図４Ａ】
0005636025.tif 000005
【図４Ｂ】
0005636025.tif 000006
【図５】
0005636025.tif 000007
【図６】
0005636025.tif 000008
【図７】
0005636025.tif 000009